(57)【特許請求の範囲】
【請求項１】
管路の流路を遮断する弁体として機能すると共に、前記管路を閉塞する閉塞蓋としても機能する弁体兼用蓋であって、
底壁と、
前記底壁の外縁部から立設する側壁と、を備え、
前記底壁及び前記側壁の少なくとも一方には、弁操作部材と係合可能な係合部が形成されており、
前記側壁には、前記管路の端部外周面に当接する当接ボルトが螺合される螺子孔が形成されている弁体兼用蓋。
【請求項２】
前記側壁は、前記底壁の外縁部の一部に設けられており、
前記底壁のうち前記側壁が存在しない外縁部に装着される側壁ピースを更に備えた請求項１に記載の弁体兼用蓋。
【請求項３】
前記底壁には、前記側壁ピースを固定する固定ボルトが挿入される貫通孔が形成されている請求項２に記載の弁体兼用蓋。
【請求項４】
請求項１から３のいずれか一項に記載の弁体兼用蓋を備え、不断流状態で既設管の外周面の一部を穿孔機により穿孔して形成された穿孔口と連通する分岐管を形成するために当該既設管に装着される分岐管形成装置であって、
互いに密封状態で締結部材により連結される第一分割部材と当該第一分割部材よりも鉛直方向下側に位置する第二分割部材とを備え、
前記第一分割部材は、前記穿孔機のカッターが通過可能な開口を有する筒部を有しており、
前記筒部の外周面には、前記当接ボルトの先端が当接する環状凹部が形成されている分岐管形成装置。
【請求項５】
前記弁体兼用蓋を収容する弁箱が装着され、前記筒部の外周面を包囲するアタッチメントを更に備え、
前記第一分割部材には、前記アタッチメントを載置する座面を有する柱状部が形成されており、
前記アタッチメントは、前記柱状部に螺合されるボルトにより前記第一分割部材に固定される請求項４に記載の分岐管形成装置。
【発明の詳細な説明】
【技術分野】
【０００１】
本発明は、管路の流路を遮断する弁体として機能すると共に、管路を閉塞する閉塞蓋としても機能する弁体兼用蓋及び弁体兼用蓋を備えた分岐管形成装置に関する。
【背景技術】
【０００２】
分岐管形成装置は、例えば、老朽化した既設の水道管（既設管）を新設の水道管に不断流状態で更新する際に用いられる。分岐管形成方法とは、次のような方法である。分岐管形成装置を既設の水道管の外周に水密状態で設置し、分岐管形成装置と一体形成された接続管を分岐管と連結する。そして、分岐管形成装置内に設けられたカッター収容空間に穿孔機のカッターを挿入し、既設の水道管の外周面の一部を穿孔（ハーフカット）して穿孔口を形成し、この穿孔口が分岐管と連通することにより、流路を切り替えることが可能となる。そして、既設の水道管に設置された２つの分岐管形成装置の間の既設管を撤去すれば、既設の水道管の老朽化した区間が分岐管（新設の水道管）に更新される。
【０００３】
特許文献１に記載された分岐管形成装置（文献では接続ケース）は、既設管の軸芯と分岐管の軸芯が含まれる平面に垂直な方向で分割された半割部材を溶接で接合して形成されており、接続ケースと一体形成された接続管（文献では筒部分）と分岐管との両フランジがボルト，ナットで固定されている。この接続ケースには、弁装置（文献では筒ケース）がフランジ連結され、この弁装置に作業用ケース（文献では有底筒ケース）がフランジ連結されている。この作業用ケースは、穿孔機や穿孔後に接続ケースを閉塞するための蓋挿入器具のケースとして用いられる。また、接続ケースのカッター収容空間には、穿孔機のセンタードリルが挿入されて案内される筒状の案内筒（文献では抱持部材）が、接続ケースの底壁に下方から螺合されるボルトにより固定されている。
【０００４】
特許文献２には、従来のような蓋挿入器具としても機能する弁装置が開示されている。特許文献２に記載の弁装置は、管路（文献では分岐管部）の流路を遮断する弁体として機能すると共に、管路を閉塞する閉塞蓋としても機能する弁体兼用蓋を備えている。この弁体兼用蓋を閉塞蓋として固定する際には、分岐管部のフランジの貫通孔に下方からボルトを挿入し、弁装置の筐体本体の天板の挿入孔に対して上方からナットを挿入し、当該ボルト，ナットを螺合する操作が実行される。
【先行技術文献】
【特許文献】
【０００５】
【特許文献１】特開昭６０−２０１８０８号公報
【特許文献２】特開２０１８−１２３９６３号公報
【発明の概要】
【発明が解決しようとする課題】
【０００６】
特許文献１に記載の分岐管形成装置のように、蓋挿入器具により接続ケースを閉塞する蓋を装着する場合、作業効率が低下してしまう。一方、特許文献２に記載の弁装置は、蓋挿入器具を省略できるものの、ボルトを分岐管部のフランジの貫通孔に挿入した状態で、筐体本体の天板の挿入孔に対して上方からナットを挿入して螺合する必要があり、螺合操作に手間を要し、作業効率を高める上で改善の余地があった。
【０００７】
そこで、作業効率の高い弁体兼用蓋及び弁体兼用蓋を備えた分岐管形成装置が望まれている。
【課題を解決するための手段】
【０００８】
本発明に係る弁体兼用蓋の特徴構成は、管路の流路を遮断する弁体として機能すると共に、前記管路を閉塞する閉塞蓋としても機能する弁体兼用蓋であって、底壁と、前記底壁の外縁部から立設する側壁と、を備え、前記底壁及び前記側壁の少なくとも一方には、弁操作部材と係合可能な係合部が形成されており、前記側壁には、前記管路の端部外周面に当接する当接ボルトが螺合される螺子孔が形成されている点にある。
【０００９】
本構成では、底壁及び側壁の少なくとも一方に弁操作部材と係合可能な係合部が形成されている。このため、弁体としての弁体兼用蓋を外部から移動操作部材により移動させて、管路の流路を遮断することが可能となり、作業効率が高い。
【００１０】
また、本構成の側壁には、管路の端部外周面に当接する当接ボルトが螺合される螺子孔が形成されている。このため、閉塞蓋としての弁体兼用蓋を管路に固定する場合、外部から当接ボルトを操作して螺子孔に螺合するだけで良いため、作業効率が極めて高い。このように、作業効率の高い弁体兼用蓋を提供できた。
【００１１】
他の特徴構成は、前記側壁は、前記底壁の外縁部の一部に設けられており、前記底壁のうち前記側壁が存在しない外縁部に装着される側壁ピースを更に備えた点にある。
【００１２】
本構成のように、側壁が存在しない部分を設ければ、側壁が存在しない部分を管路の端部に通過させることが可能となるため、弁体としての弁体兼用蓋を移動操作部材によりスライド移動させることができる。一方、底壁のうち側壁が存在しない外縁部に装着される側壁ピースを設ければ、閉塞蓋としての弁体兼用蓋の固定姿勢が安定する。
【００１３】
他の特徴構成は、前記底壁には、前記側壁ピースを固定する固定ボルトが挿入される貫通孔が形成されている点にある。
【００１４】
本構成のように、底壁の貫通孔に固定ボルトを挿入して側壁ピースを固定すれば、閉塞蓋としての弁体兼用蓋を管路に強固に固定できる。しかも、底壁に貫通孔を設ければ、上方から固定ボルトを操作することが可能となり、作業効率を高めることができる。
【００１５】
本発明に係る分岐管形成装置の特徴構成は、上記弁体兼用蓋を備え、不断流状態で既設管の外周面の一部を穿孔機により穿孔して形成された穿孔口と連通する分岐管を形成するために当該既設管に装着される分岐管形成装置であって、互いに密封状態で締結部材により連結される第一分割部材と当該第一分割部材よりも鉛直方向下側に位置する第二分割部材とを備え、前記第一分割部材は、前記穿孔機のカッターが通過可能な開口を有する筒部を有しており、前記筒部の外周面には、前記当接ボルトの先端が当接する環状凹部が形成されている点にある。
【００１６】
本構成では、第二分割部材を鉛直方向下側に配置した状態で第二分割部材の上に第一分割部材を装着することが可能となり、締結部材を上側から操作して第一分割部材を第二分割部材に連結させることができる。その結果、既設管を更新する際の作業効率を高めることが可能となる。しかも、第一分割部材の筒部に当接ボルトの先端が当接する環状凹部を形成すれば、当接ボルトの先端が環状凹部に強固に当接することにより閉塞蓋としての弁体兼用蓋の固定姿勢が安定する。
【００１７】
他の特徴構成は、前記弁体兼用蓋を収容する弁箱が装着され、前記筒部の外周面を包囲するアタッチメントを更に備え、前記第一分割部材には、前記アタッチメントを載置する座面を有する柱状部が形成されており、前記アタッチメントは、前記柱状部に螺合されるボルトにより前記第一分割部材に固定される点にある。
【００１８】
本構成のようなアタッチメントを設ければ、弁箱の姿勢を安定させることが可能となるため、弁体としての弁体兼用蓋を円滑に移動させることができる。しかも、このアタッチメントは、第一分割部材に設けた柱状部にボルトを螺合するだけで固定されるので、作業効率が極めて高い。
【図面の簡単な説明】
【００１９】
【図１】分岐管形成装置の全体斜視図である。
【図２】分岐管形成装置を鉛直方向に切断した断面斜視図である。
【図３】水道管に分岐管形成装置を装着した状態を示す平面図である。
【図４】第一分割部材を示す図である。
【図５】第二分割部材を示す図である。
【図６】分割部材配置工程を示す分解斜視図である。
【図７】分割部材連結工程を示す斜視図である。
【図８】アタッチメントを装着した分岐管形成装置の断面図である。
【図９】アタッチメント装着工程を示す斜視図である。
【図１０】穿孔工程を示す分岐管形成装置を鉛直方向に切断した断面斜視図である。
【図１１】穿孔工程を示す拡大断面図である。
【図１２】穿孔工程を示す断面図である。
【図１３】閉弁工程を示す平面図である。
【図１４】閉弁工程を示す側面図である。
【図１５】閉弁工程を示す断面図である。
【図１６】蓋固定工程を示す斜視図である。
【図１７】作業用機器撤去後の分岐管形成装置を鉛直方向に切断した断面斜視図である。
【図１８】側壁ピース固定工程を示す斜視図である。
【図１９】蓋の固定状態を示す拡大断面図である。
【図２０】水道管に分岐管形成装置を装着した状態を示す平面図である。
【図２１】水道管に分岐管形成装置を装着した状態を示す平面図である。
【発明を実施するための形態】
【００２０】
以下に、本発明に係る分岐管形成装置及び分岐管形成方法の実施形態について、図面に基づいて説明する。本実施形態では、分岐管形成装置及び分岐管形成方法の一例として、流体配管系を構成する水道管Ｗ（既設管の一例）の更新，耐震化工事の際に水道管Ｗに装着される分岐管形成装置１００、及び、分岐管形成装置１００を用いた分岐管形成方法として説明する。ただし、以下の実施形態に限定されることなく、その要旨を逸脱しない範囲内で種々の変形が可能である。
【００２１】
図１及び図２に示すように、分岐管形成装置１００は、不断流状態で水道管Ｗ（既設管の一例）の外周面の一部を穿孔機１により穿孔して形成された穿孔口Ｗａと連通する分岐管２を形成するために水道管Ｗに装着される分割構造の割Ｔ字管で構成されている。この分岐管形成装置１００は、水道管Ｗの軸芯Ｘおよび分岐管２の軸芯Ｙが含まれる平面に沿った割面３ａ，４ａを有し、互いに密封状態で締結部材Ｂにより連結される第一分割部材３および第二分割部材４と、第一分割部材３の筒部３１（管路の一例）の開口部３１ａ（端部）を閉塞する蓋体５（弁体兼用蓋の一例）と、を備えている。ここで、「水道管Ｗの軸芯Ｘおよび分岐管２の軸芯Ｙが含まれる平面に沿った割面３ａ，４ａ」とは、水道管Ｗの軸芯Ｘと分岐管２の軸芯Ｙが含まれる平面上又は該平面と略平行な面上に割面３ａ，４ａがあることを意味する。本実施形態における水道管Ｗ，分岐管２及び分岐管形成装置１００は、鋳鉄管、鋼管等で構成される同種の材料を用いて成形されている。なお、水道管Ｗと分岐管２又は分岐管形成装置１００とを異なる材料を用いて成形しても良い。
【００２２】
本実施形態における分岐管形成装置１００は、第一分割部材３が鉛直方向上側に配置されると共に第二分割部材４が鉛直方向下側に配置されるように水道管Ｗの外周面に沿って装着されており、第一分割部材３の第一割面３ａと第二分割部材４の第二割面４ａとは、地面に平行な水平面に沿っている。以下、重力方向を下、その反対方向を上として説明することがある。
【００２３】
図２及び図３に示すように、分岐管２の端部フランジ２Ａが第一分割部材３及び第二分割部材４の連結開口部３３，４３に挟持されている。本実施形態における分岐管２は、短管２１と仕切弁Ｖを有する連結管２２との両フランジ２１ａ，２２ａがボルト２３，ナット２４により連結されている。連結管２２のフランジ２２ａの反対側のフランジ２２ｂには、他の連結管が連結される。
【００２４】
図４及び図６に示すように、第一分割部材３は、半割部材で構成されており、水道管Ｗの外周面に沿う半円筒状の第一本体部３２と、第一本体部３２から分岐管２の側に延出し、分岐管２の外周面に沿う半円筒状の第一連結開口部３３と、第一本体部３２及び第一連結開口部３３に跨って上側に延出する円筒状の筒部３１と、を有している。
【００２５】
第一本体部３２は、水道管Ｗの外周面に沿って湾曲した第一湾曲部３２ａと、第一湾曲部３２ａから水道管Ｗの側方に突出形成した第一フランジ部３２ｂとを有している。この第一湾曲部３２ａには、平面視で水道管Ｗの軸芯Ｘと交差する対角線上に一対の貫通孔部３２ａ１が形成されており、この一対の貫通孔部３２ａ１には、水道管Ｗの外周面に先端が当接する位置固定ボルト３８が挿入され、第一本体部３２の内面に回り止め状態で収納されたナット３９に螺合される（図６も参照）。この位置固定ボルト３８が水道管Ｗの外周面に当接することにより、第一分割部材３が回転しないように水道管Ｗに位置固定される。また、第一フランジ部３２ｂには、締結部材Ｂを構成するボルトＢａが挿入され、このボルトＢａが螺合させるナットＢｂが配置される複数（本実施形態では４箇所）の第一貫通孔部３２ｂ１が軸芯Ｘに沿って形成されている（図１も参照）。
【００２６】
第一連結開口部３３は、分岐管２の端部フランジ２Ａの外周面に沿って湾曲した第一分岐湾曲部３３ａと、第一分岐湾曲部３３ａから水道管Ｗの軸芯Ｘに沿って突出した一対の第一分岐フランジ部３３ｂとを有している。この一対の第一分岐フランジ部３３ｂには、締結部材Ｂを構成するボルトＢａが挿入され、このボルトＢａが螺合させるナットＢｂが配置される複数（本実施形態では夫々の第一分岐フランジ部３３ｂに２箇所ずつ）の第一貫通孔部３３ｂ１が形成されている（図１も参照）。
【００２７】
これら第一本体部３２の第一フランジ部３２ｂ及び第一連結開口部３３の内面の外縁部には、平面視矩形状の第一割面３ａが形成されている。この第一割面３ａと第一湾曲部３２ａの内面とに亘って、第一シール部材Ｓ１が嵌合される平面視矩形状の第一シール溝３ａ１が形成されている。第一シール部材Ｓ１が、水道管Ｗの外周面及び分岐管２の端部フランジ２Ａの外周面に密着することにより、第一分割部材３が水道管Ｗ及び分岐管２に対して密封状態となる。
【００２８】
筒部３１は、穿孔機１のホールソー１１（カッターの一例）が通過可能な開口を有する開口部３１ａと、第一本体部３２及び第一連結開口部３３に連設される基端部３１ｂとを有している。開口部３１ａには、後述する当接ボルトＴの先端が当接する環状凹部３１ａ１（端部外周面の一例）が形成されている（図２も参照）。基端部３１ｂには、後述するアタッチメント７を固定する埋込ボルトＵが螺合される孔部３１ｃ１を有する複数（本実施形態では周方向に等間隔に配置された４箇所）の柱状部３１ｃが、径方向外側に突出形成されている。これら複数の柱状部３１ｃの天面は、アタッチメント７を載置する座面３１ｃ２を構成しており、これら座面３１ｃ２は、アタッチメント７の姿勢を水平に維持するために同一平面上に配置されている。
【００２９】
図５及び図６に示すように、第二分割部材４は、半割部材で構成されており、水道管Ｗの外周面に沿う半円筒状の第二本体部４２と、第二本体部４２から分岐管２の側に延出し、分岐管２の外周面に沿う半円筒状の第二連結開口部４３と、第二本体部４２及び第二連結開口部４３に跨って内面側から見て下側に平面視円形状に窪んだ底部４１と、を有している。
【００３０】
第二本体部４２は、水道管Ｗの外周面に沿って湾曲した第二湾曲部４２ａと、第二湾曲部４２ａから水道管Ｗの側方に突出形成した第二フランジ部４２ｂとを有している。この第二湾曲部４２ａには、平面視で水道管Ｗの軸芯Ｘと交差する対角線上に一対の貫通孔部４２ａ１が形成されており、この一対の貫通孔部４２ａ１には、第一分割部材３と同様に水道管Ｗの外周面に先端が当接する位置固定ボルト３８が挿入され、第二本体部４２の内面に回り止め状態で収納されたナット３９に螺合される。この位置固定ボルト３８が水道管Ｗの外周面に当接することにより、第二分割部材４が回転しないように水道管Ｗに位置固定される。また、第二フランジ部４２ｂには、締結部材Ｂを構成するボルトＢａが挿入される複数（本実施形態では４箇所）の第二貫通孔部４２ｂ１が軸芯Ｘに沿って形成されている。
【００３１】
第二連結開口部４３は、分岐管２の端部フランジ２Ａの外周面に沿って湾曲した第二分岐湾曲部４３ａと、第二分岐湾曲部４３ａから水道管Ｗの軸芯Ｘに沿って突出した一対の第二分岐フランジ部４３ｂと、を有している。この一対の第二分岐フランジ部４３ｂには、締結部材Ｂを構成するボルトＢａが挿入される複数（本実施形態では夫々の第二分岐フランジ部４３ｂに２箇所ずつ）の第二貫通孔部４３ｂ１が形成されている。
【００３２】
これら第二本体部４２の第二フランジ部４２ｂ及び第二連結開口部４３の内面の外縁部には、平面視矩形状の第二割面４ａが形成されている。この第二割面４ａと第二湾曲部４２ａの内面とに亘って、第二シール部材Ｓ２が嵌合される平面視矩形状の第二シール溝４ａ１が形成されている。第二シール部材Ｓ２が、水道管Ｗの外周面及び分岐管２の端部フランジ２Ａの外周面に密着することにより、第二分割部材４が水道管Ｗ及び分岐管２に対して密封状態となる。また、第一割面３ａの第一シール溝３ａ１に嵌合された第一シール部材Ｓ１と、第二割面４ａの第二シール溝４ａ１に嵌合された第二シール部材Ｓ２とが互いに圧接されることにより、第一分割部材３と第二分割部材４との隙間を密閉する。
【００３３】
底部４１は、後述する平板部材９を収容する平面視円形状の収容凹部４１ａと、収容凹部４１ａの中央に後述する案内筒８の端部が係合される平面視円形状の係合凹部４１ｂとを有している（図８も参照）。収容凹部４１ａは、底部４１を下側に窪ませて形成されており、係合凹部４１ｂは、収容凹部４１ａの中央を更に下側に窪ませて形成されている。また、収容凹部４１ａには、係合凹部４１ｂと隣接する外周側に上側に突出させた平面視円環状の円環状凸部４１ｃが形成されており、この円環状凸部４１ｃの上面は、後述する案内筒８の突出部８２が載置される載置面４１ｃ１となっている（図１１も参照）。この載置面４１ｃ１は、水道管Ｗの軸芯Ｘと分岐管２の軸芯Ｙが含まれる平面と平行な平面である。このような構成から、円環状凸部４１ｃの外周側には円環状溝４１ｄが形成されており、この円環状溝４１ｄに平板部材９が載置されることとなる。
【００３４】
図１及び図２に示すように、第一分割部材３の筒部３１の開口部３１ａを閉塞する蓋体５は、底壁５１と底壁５１の外縁部から立設する側壁５２とを有している。この蓋体５は、管路としての筒部３１の流路を遮断する弁体として機能すると共に、筒部３１を閉塞する閉塞蓋としても機能する。
【００３５】
底壁５１は、平面視円形状の平板部材であり、その外面には、弁操作部材Ｖｋと係合可能な弧状の長溝５１ａ（係合部の一例）が形成されている（図１３〜図１４も参照）。弁操作部材Ｖｋの端部が長溝５１ａの一端から他端まで回動することにより、蓋体５が弁箱６の内部をスライド移動する。その結果、蓋体５が筒部３１の開口を閉塞する閉弁状態と、蓋体５が筒部３１の開口から離間する開弁状態とに切り替えることができる。また、底壁５１の外縁部のうち長溝５１ａとは反対側の部位には、後述する側壁ピース５３を固定する固定ボルトＫが挿入される複数（本実施形態では２箇所）の貫通孔５１ｂが形成されている。さらに、底壁５１の外縁部の内面には、環状シール部材Ｓ３が嵌合される環状シール溝５１ｃが形成されており、この環状シール部材Ｓ３が筒部３１の開口部３１ａの上面に密着することにより、蓋体５が第一分割部材３の筒部３１を密封する。なお、底壁５１は、平面視円形状に限定されず、例えば、平面視矩形状に構成しても良い。
【００３６】
側壁５２は、底壁５１の外縁部の一部に設けられており、底壁５１の半円以上（１８０度以上）の領域に亘って一体的に突出する突出部位で構成されている。底壁５１のうち側壁５２が存在しない外縁部には、側壁ピース５３が装着されている。
【００３７】
側壁５２には、筒部３１の開口部３１ａの外周面に形成された環状凹部３１ａ１に当接する複数（本実施形態では４つ）の当接ボルトＴが螺合される螺子孔５２ａが、水道管Ｗの軸芯Ｘに沿って対向する部位に、夫々２箇所ずつ設けられている。本実施形態では、当接ボルトＴが六角穴付きボルトで構成されており、この螺子孔５２ａに当接ボルトＴを螺合することにより、当接ボルトＴの先端が環状凹部３１ａ１に食い込んで蓋体５が第一分割部材３の筒部３１に固定される（図１９も参照）。なお、筒部３１の開口部３１ａの外周面に環状凹部３１ａ１を形成せずに、当接ボルトＴを、筒部３１の開口部３１ａの円滑な外周面に当接させても良い。
【００３８】
側壁ピース５３は、弧状部材で構成されており、底壁５１のうち側壁５２が存在しない外縁部に挿入される。この側壁ピース５３には、水道管Ｗの軸芯Ｘに沿う水平方向に貫通し、当接ボルトＴが螺合される第一螺子孔５３ａと、水道管Ｗの軸芯Ｘおよび分岐管２の軸芯Ｙに垂直な方向に貫通し、固定ボルトＫが螺合される複数（本実施形態では２箇所）の第二螺子孔５３ｂとが形成されている（図１８も参照）。底壁５１のうち側壁５２が存在しない外縁部に挿入された側壁ピース５３は、固定ボルトＫを底壁５１の貫通孔５１ｂから挿入して、第二螺子孔５３ｂに螺合することにより蓋体５と一体化され、第一螺子孔５３ａに当接ボルトＴを螺合することにより、当接ボルトＴの先端が環状凹部３１ａ１に食い込んで第一分割部材３の筒部３１に固定される（図１９も参照）。なお、当接ボルトＴが螺合される第一螺子孔５３ａを省略しても良い。
【００３９】
続いて、分岐管形成装置１００を用いた分岐管形成方法に用いられる作業用機器について説明する。本実施形態に用いられる作業用機器としては、図１２に示すように、穿孔機１と、筒部３１の流路を遮断する弁体として機能する蓋体５を収容する弁箱６と、弁箱６を安定的に固定するためのアタッチメント７と、穿孔機１のセンタードリル１２を案内する案内筒８と、案内筒８と連結される平板部材９と、を備えている。以下、アタッチメント７，案内筒８，平板部材９を含めて分岐管形成装置１００を称する場合がある。
【００４０】
図１１及び図１２に示すように、穿孔機１は、切削チップ１１ａを有する円筒状のホールソー１１（カッターの一例）と、ホールソー１１の中心位置から切削チップ１１ａよりも外側に突出するセンタードリル１２と、ホールソー１１及びセンタードリル１２を回転駆動させるモータを含む回転駆動機構１３と、ホールソー１１及びセンタードリル１２を収容する穿孔ケース１４とを備えている。なお、回転駆動機構１３によりホールソー１１のみ回転させて、センタードリル１２を回転させない構成であっても良い。
【００４１】
本実施形態におけるホールソー１１は、その外径が水道管Ｗの外径よりも小さく構成されており、水道管Ｗの外周面の一部を切削するものである。ホールソー１１及びセンタードリル１２は、回転駆動機構１３の回転軸１３ａと連結されており、回転しながら水道管Ｗの軸芯Ｘおよび分岐管２の軸芯Ｙが含まれる平面に対して垂直な方向（上下方向）に進退移動する。回転駆動機構１３により、ホールソー１１を水道管Ｗに向かって回転させながら下方向に前進させると、ホールソー１１の切削チップ１１ａにより水道管Ｗの外周面の一部（側面）が切削され、該垂直な方向に沿った穿孔口Ｗａが形成される（図２も参照）。水道管Ｗの軸芯Ｘおよび分岐管２の軸芯Ｙが含まれる平面に対して垂直な方向に沿った穿孔口Ｗａは、ホールソー１１の外形に合わせた形状となっており、平面視では水道管Ｗの軸芯Ｘに沿って半円弧状に形成されている。なお、ホールソー１１は、その外径が水道管Ｗの外径以上に構成されていても良い。
【００４２】
回転駆動機構１３によりホールソー１１及びセンタードリル１２を前進移動させたとき、第一分割部材３と第二分割部材４との間には、穿孔口Ｗａに隣接する位置でホールソー１１を収容可能なカッター収容空間Ｓｐが形成されている。この構成から、第一分割部材３と第二分割部材４との連結部位には、穿孔口Ｗａとカッター収容空間Ｓｐを介して対向する連結開口部３３，４３が形成されており、この連結開口部３３，４３が分岐管２の端部フランジ２Ａを密封状態で挟持している。本実施形態におけるセンタードリル１２は、先端部１２ａの先端面の周方向全域の角部がテーパー形状で形成されており、先端部１２ａの側面には、環状凹部１２ａ１が形成されている。
【００４３】
図１２〜図１４に示すように、弁箱６は、蓋体５を収容する弁箱本体６１と、弁箱本体６１より円筒状に延出し、ホールソー１１及びセンタードリル１２が通過可能な弁箱筒部６２とを有している。弁箱本体６１は、開弁状態の蓋体５を収容する蓋収容部６１Ａと、閉弁状態の蓋体５を収容しアタッチメント７に固定される弁箱固定部６１Ｂとを有している。弁箱筒部６２の端部には、穿孔機１の穿孔ケース１４の穿孔フランジ１４ａとボルト，ナットで固定される弁箱フランジ６２ａが円環状に突出形成されている。
【００４４】
蓋収容部６１Ａは、平面視矩形状のボックスであり、上壁に弁操作部材Ｖｋが密封状態で固定されている。この弁操作部材Ｖｋは、操作レバーＶｋ１を回転操作することにより、弁操作部材Ｖｋの端部が長溝５１ａの一端から他端まで回動して、蓋体５を弁箱６の内部でスライド移動させる。
【００４５】
弁箱固定部６１Ｂは、蓋収容部６１Ａと共に蓋体５の移動空間を形成する平面視円形状の弁箱円筒部６３と、弁箱円筒部６３からアタッチメント７の外周面に沿って延出した弁箱延出部６４とを有している。弁箱円筒部６３には、蓋体５を第一分割部材３の筒部３１に固定するための六角穴付きボルトで構成される当接ボルトＴを螺合操作するための操作工具（不図示）が挿入される操作用貫通孔６３ａが、複数（本実施形態では４箇所）設けられている。この操作用貫通孔６３ａには、操作工具を挿入するときを除いて水密状態に閉塞する閉塞ボルト６３ａ１が螺合されている。また、弁箱円筒部６３の上壁のうち、筒部３１の開口部３１ａを閉塞した蓋体５の外縁部を押圧する押ボルトＰが螺合される押ボルト用貫通孔６３ｂが、複数（本実施形態では２箇所）設けられている。弁箱延出部６４には、アタッチメント７の下部に当接する弁箱固定ボルト６５が螺合される弁固定用貫通孔６４ａが、複数（本実施形態では４箇所）設けられている。また、弁箱延出部６４の内周面には、弁箱円筒部６３との境界部分に環状突出部６４ｂが円環状に突出形成されており、この環状突出部６４ｂと弁箱固定ボルト６５とでアタッチメント７を挟み込むことにより、弁箱６がアタッチメント７に固定される。
【００４６】
図８〜図９に示すように、アタッチメント７は、第一分割部材３の筒部３１の外周面を包囲する円環状部材で構成されている。本実施形態におけるアタッチメント７は、一対の半円部材で構成された分割構造となっており、夫々の半円部材には、アタッチメント７を第一分割部材３に固定するための埋込ボルトＵが挿入される固定用貫通孔７１が、上下方向に沿って複数（本実施形態では夫々の半円部材に２箇所ずつ）設けられている。この固定用貫通孔７１に埋込ボルトＵを内挿して、第一分割部材３の柱状部３１ｃの孔部３１ｃ１に埋込ボルトＵを螺合することにより、アタッチメント７が第一分割部材３に固定される。本実施形態における埋込ボルトＵの頭部には、環状のシール溝Ｕａが設けられており、このシール溝ＵａにＯリングＵｂが装着されている。また、アタッチメント７の外周面には、上下の外縁部に環状テーパー面７２が形成されている。下側の環状テーパー面７２に弁箱固定ボルト６５の先端部が当接することにより、弁箱６の環状突出部６４ｂと弁箱固定ボルト６５とがアタッチメント７を挟み込んで、弁箱６がアタッチメント７に固定される（図１２も参照）。なお、アタッチメント７は、円環状部材に限定されず、例えば平面視で外形多角形状に構成しても良い。
【００４７】
図１０〜図１２に示すように、案内筒８は、穿孔機１のセンタードリル１２が挿入されてセンタードリル１２の上下方向の進退移動を案内する。案内筒８は、センタードリル１２の外径と略同一の内径を有する円筒状の周壁部８１と、周壁部８１の端部から径方向外側に突出し、平板部材９と連結される円環状の突出部８２とを有している。周壁部８１の端部は、第二分割部材４の底部４１に形成された係合凹部４１ｂに係合することにより、案内筒８が位置決めされる。なお、案内筒８は、センタードリル１２の上下方向の進退移動を案内可能な形状であれば、どのような形状であっても良い。
【００４８】
周壁部８１には、水道管Ｗの穿孔口Ｗａを形成したときに水道管Ｗから分離される切断部分Ｗｂを抱持する周壁貫通孔８１ａが形成されている。この周壁貫通孔８１ａとホールソー１１の内周面との間に切断部分Ｗｂが挟まれて、切断部分Ｗｂが抱持される。また、周壁部８１の水道管Ｗの軸芯Ｘに沿った両側方には、水道管Ｗ（切断部分Ｗｂ）の外周面のうち、鉛直方向下側に当接し穿孔機１の軸芯ずれを防止する軸芯保持ボルトＪが螺合される一対のブロック部８３が突出形成されている。この軸芯保持ボルトＪは、水道管Ｗ（切断部分Ｗｂ）の外周面の鉛直方向下側に当接するため、切断部分Ｗｂの落下を防止する機能も有している。
【００４９】
突出部８２は、外周部分に平板部材９に固定するために挿入される外周固定ボルトＧが各別に挿入される複数（本実施形態では４箇所）のボルト挿入孔８２ａが形成されており、このボルト挿入孔８２ａの内側には、穿孔機１のセンタードリル１２を保持する保持機構８４が設けられている。保持機構８４は、突出部８２に形成された収容ボックス８２ｂと、センタードリル１２の外周面に形成された環状凹部１２ａ１に係合可能な係合部材８４ａと、係合部材８４ａを環状凹部１２ａ１に向かう径方向内側に付勢する圧縮コイルスプリング８４ｂとを有している。なお、外周固定ボルトＧをピンで構成して、突出部８２と平板部材９とをピン嵌合する形態であっても良い。
【００５０】
収容ボックス８２ｂは、突出部８２の上面に一体形成され、径方向内側に開口を有する一対のボックス状部材であり、該開口から圧縮コイルスプリング８４ｂ，係合部材８４ａの順に挿入して収容している。係合部材８４ａは、直方体ブロック状部材で構成されており、先端上面には、センタードリル１２の先端部１２ａの先端面に形成されたテーパー状の先端角部に当接可能なテーパー面８４ａ１が形成されている。センタードリル１２の先端角部がテーパー面８４ａ１に当接することにより、圧縮コイルスプリング８４ｂの付勢力に対抗して係合部材８４ａが径方向外側に移動し、更にセンタードリル１２を前進移動させると、圧縮コイルスプリング８４ｂの付勢力により係合部材８４ａが環状凹部１２ａ１に係合し、センタードリル１２が保持機構８４により保持される。
【００５１】
平板部材９は、平面視円環形状に形成されており、第二分割部材４の収容凹部４１ａに形成された円環状溝４１ｄに載置された状態で案内筒８と連結される。平板部材９には、案内筒８を平板部材９に固定するための外周固定ボルトＧが螺合される複数（本実施形態では４箇所）の外周固定ボルト螺合孔９１が形成されている。また、平板部材９の外縁部には、穿孔口Ｗａの側に突出した環状凸部９２が形成されている。この環状凸部９２は、平板部材９の上面に接着等で固定されるゴム等の弾性部材で構成されているが、平板部材９と一体形成しても良い。なお、平板部材９は、平面視円環形状に限定されず、例えば、平面視矩形状に構成しても良い。
【００５２】
本実施形態における平板部材９は、一体形成された単一部材で構成されているが、分割された複数（例えば２つ）の分割板で構成することが好ましい。平板部材９を分割板で構成することにより、第二分割部材４の収容凹部４１ａに挿入する際、一方の分割板を水道管Ｗに干渉しないように円環状溝４１ｄに載置した後に、水道管Ｗの下側に回転させることにより、他方の分割板を水道管Ｗに干渉しないように円環状溝４１ｄに載置することができる。一方、平板部材９を単一部材で構成した場合は、平板部材９を斜めにした状態で第二分割部材４の収容凹部４１ａに挿入することとなる。
【００５３】
続いて、図６〜図１９を用いて、分岐管形成装置１００を用いた分岐管形成方法について説明する。本実施形態では、水道管Ｗの所定の部位に分岐管形成装置１００を装着して水道管Ｗと連通する分岐管２を形成した後、水道管Ｗの他の部位に他の分岐管形成装置１００を装着して水道管Ｗと連通する分岐管２を形成し、これら分岐管形成装置１００どうしの間に位置する老朽化した水道管Ｗを撤去して、水道管Ｗを分岐管２（新たな水道管Ｗ）に更新するものである。
【００５４】
本実施形態における分岐管形成方法は、図６に示す（１）分割部材配置工程と、図７に示す（２）分割部材連結工程と、図８〜図９に示す（３）アタッチメント装着工程と、図１０〜図１２に示す（４）穿孔工程と、図１３〜図１５に示す（５）閉弁工程と、図１６に示す（６）蓋固定工程と、図１７に示す（７）弁箱撤去工程と、図１８〜図１９に示す（８）側壁ピース装着工程とを含んでいる。
【００５５】
（１）分割部材配置工程
図６に示すように、第一分割部材３の割面３ａと第二分割部材４の割面４ａとが水道管Ｗの軸芯Ｘと分岐管２の軸芯Ｙが含まれる平面に沿うように、第一分割部材３および第二分割部材４を水道管Ｗに配置する。
【００５６】
具体的には、まず、第二シール溝４ａ１に第二シール部材Ｓ２を嵌合した第二分割部材４を水道管Ｗの下側に配置すると共に、第二分割部材４の第二連結開口部４３に分岐管２の端部フランジ２Ａを配置する。なお、第二分割部材４を水平状態に維持可能な受け台がある場合は、後述する（２）分割部材連結工程における、平板部材９及び案内筒８のカッター収容空間Ｓｐへの収納作業を実行しても良い。
【００５７】
第二分割部材４の上側に、水道管Ｗ及び分岐管２（第二分割部材４の受け台がある場合は平板部材９及び案内筒８も含む）が配置された状態で、第二分割部材４の上方から、第一シール溝３ａ１に第一シール部材Ｓ１を嵌合した第一分割部材３（図４参照）を接近させ、第一分割部材３の割面３ａと第二分割部材４の割面４ａとを対向させる。このように、分岐管形成装置１００を構成する第一分割部材３および第二分割部材４が、水道管Ｗの軸芯Ｘと分岐管２の軸芯Ｙが含まれる平面に沿った割面３ａ，４ａで構成されているため、第二分割部材４を鉛直方向下側に配置した状態で第二分割部材４の上に第一分割部材３を装着することが容易である。
【００５８】
（２）分割部材連結工程
図６〜図７に示すように、第一分割部材３と第二分割部材４との連結開口部３３，４３に分岐管２の端部フランジ２Ａを挟持した状態で、第一分割部材３と第二分割部材４とを締結部材Ｂにより密封状態に連結する。この締結部材Ｂは、第一分割部材３の第一フランジ部３２ｂ及び第二分割部材４の第二フランジ部４２ｂに４箇所、第一分割部材３の第一分岐フランジ部３３ｂ及び第二分割部材４の第二分岐フランジ部４３ｂに４箇所の合計８箇所に配置されることとなる。この締結部材Ｂによる締結作業により、第一割面３ａの第一シール溝３ａ１に嵌合された第一シール部材Ｓ１と、第二割面４ａの第二シール溝４ａ１に嵌合された第二シール部材Ｓ２とが互いに圧接されることにより、第一分割部材３と第二分割部材４との隙間が密閉され、水道管Ｗ及び分岐管２に対して密封状態となる（図８も参照）。そして、第一分割部材３の一対の貫通孔部３２ａ１および第二分割部材４の一対の貫通孔部４２ａ１に位置固定ボルト３８を挿入して、第一分割部材３および第二分割部材４が回転しないように水道管Ｗに位置固定しておく。
【００５９】
次いで、図６に示すように、第一分割部材３の筒部３１の開口部３１ａ又は分岐管２の開口を介して、平板部材９及び案内筒８をカッター収容空間Ｓｐに収納する。具体的には、第二分割部材４の収容凹部４１ａの円環状溝４１ｄに平板部材９を載置し、この平板部材９を外周固定ボルトＧにより案内筒８と連結する（図１１も参照）。次いで、案内筒８のブロック部８３に予め挿入された軸芯保持ボルトＪを締め込み操作して、軸芯保持ボルトＪの先端を水道管Ｗ（切断部分Ｗｂ）の外周面の鉛直方向下側に当接させる（図１２も参照）。平板部材９と案内筒８との外周固定ボルトＧによる連結作業及び軸芯保持ボルトＪの締め込み操作は、カッター収容空間Ｓｐを臨みながら上方から操作でき、しかも、案内筒８の位置決めは、案内筒８の端部を収容凹部４１ａの中央に形成された係合凹部４１ｂに係合するだけで良いため、容易である。また、平板部材９の載置に際し、平板部材９を分割板で構成した場合は、第二分割部材４の収容凹部４１ａに挿入する際、一方の分割板を水道管Ｗに干渉しないように円環状溝４１ｄに載置した後に、水道管Ｗの下側に回転させることにより、他方の分割板を水道管Ｗに干渉しないように円環状溝４１ｄに載置することができる。
【００６０】
本実施形態では、分岐管形成装置１００を構成する第一分割部材３および第二分割部材４が、水道管Ｗの軸芯Ｘと分岐管２の軸芯Ｙが含まれる平面に沿った割面３ａ，４ａで構成されているため、締結部材Ｂを上側から操作して第一分割部材３を第二分割部材４に連結させることが可能となり、作業効率を高めることができる。すなわち、水道管Ｗ及び分岐管２の下側でのボルト締付作業が不要となる。また、第一分割部材３と第二分割部材４との連結開口部３３，４３には分岐管２の端部フランジ２Ａが密封状態で挟持されているため、地震等により分岐管２に曲げ力や引張力が作用した場合でも、第一分割部材３および第二分割部材４で負荷を受け止めることが可能となり、締結部材Ｂにかかる負荷を低減できる。また、地震等により分岐管２に曲げ力や引張力が作用した場合でも、分岐管２が柔軟に微小移動することが可能となり、連結開口部３３，４３にかかる負荷を低減することができる。その結果、耐震性能に優れた分岐管形成装置１００となっている。
【００６１】
（３）アタッチメント装着工程
図８〜図９に示すように、二分割構造のアタッチメント７を夫々、第一分割部材３の筒部３１に形成された複数の柱状部３１ｃの座面３１ｃ２に載置した状態で、アタッチメント７の固定用貫通孔７１に挿入された埋込ボルトＵを、柱状部３１ｃの孔部３１ｃ１に螺合させる。これら座面３１ｃ２は、アタッチメント７の姿勢を水平に維持するよう同一平面上に配置されているため、アタッチメント７の第一分割部材３に対する固定作業が容易である。しかも、分岐管形成装置１００を構成する第一分割部材３および第二分割部材４が、水道管Ｗの軸芯Ｘと分岐管２の軸芯Ｙが含まれる平面に沿った割面３ａ，４ａで構成されているため、埋込ボルトＵを上側から操作してアタッチメント７を固定することができる。
【００６２】
（４）穿孔工程
図１０〜図１２に示すように、穿孔工程は、第一分割部材３に穿孔機１を装着する穿孔機装着工程と、分岐管２に設けられた仕切弁Ｖを閉弁する分岐流路閉塞工程（図３参照）と、第一分割部材３と第二分割部材４との間に形成されたカッター収容空間Ｓｐに穿孔機１のホールソー１１を移動させて、カッター収容空間Ｓｐと隣接する位置に穿孔口Ｗａを形成する穿孔口形成工程と、を有している。
【００６３】
穿孔機装着工程では、弁箱６をアタッチメント７（第一分割部材３）に固定し、この弁箱６に穿孔機１を装着する。弁箱６をアタッチメント７に固定する際、弁箱６の弁箱延出部６４の弁固定用貫通孔６４ａに弁箱固定ボルト６５を螺合し、弁箱固定ボルト６５の先端部をアタッチメント７の下側の環状テーパー面７２に当接させる。その結果、弁箱６の環状突出部６４ｂと弁箱固定ボルト６５とがアタッチメント７を挟み込んで、弁箱６がアタッチメント７に固定される。そして、弁箱筒部６２の弁箱フランジ６２ａと、穿孔機１の穿孔ケース１４の穿孔フランジ１４ａとをボルト，ナットで固定し、穿孔機１が弁箱６を介して第一分割部材３に装着される。
【００６４】
分岐流路閉塞工程では、分岐管２に設けられた仕切弁Ｖを閉弁することにより、後の穿孔口形成工程により形成された穿孔口Ｗａを介して、水道管Ｗから分岐管２へと流路が変更されることを防止する（図３参照）。このように、連結開口部３３，４３に挟持される分岐管２に仕切弁Ｖを設け、仕切弁Ｖを閉弁して分岐管２の分岐流路を閉塞した後に穿孔口Ｗａを形成するため、仕切弁Ｖよりも下流側の配管施工を事前に行うことが可能となる。つまり、配管施工に支障をきたさず、任意のタイミングで水道管Ｗに穿孔口Ｗａを形成することが可能となり、作業効率が高い。
【００６５】
穿孔口形成工程では、回転駆動機構１３によりホールソー１１及びセンタードリル１２を回転させながら下方向に前進させると、センタードリル１２が案内筒８に内挿されながら、ホールソー１１の切削チップ１１ａにより水道管Ｗの外周面の一部（側面）が切削され、穿孔口Ｗａが形成される。この穿孔口Ｗａの形成により生成された切断部分Ｗｂは、案内筒８の周壁部８１に形成された周壁貫通孔８１ａとホールソー１１の内周面との間に挟まれて抱持される。このとき、軸芯保持ボルトＪが水道管Ｗ（切断部分Ｗｂ）の外周面の鉛直方向下側に当接しているため、穿孔機１の軸芯ずれが防止されると共に、切断部分Ｗｂの落下が確実に防止される。また、第一分割部材３にホールソー１１が通過可能な開口を有する筒部３１を形成し、第一分割部材３および第二分割部材４の割面３ａ，４ａが水道管Ｗの軸芯Ｘと分岐管２の軸芯Ｙが含まれる平面に沿っているため、割面３ａ，４ａが該平面に垂直な場合に比べて、穿孔機１の振動が割面３ａ，４ａに直接作用せず、穿孔作業のカッター軸芯のずれが少ない。しかも、本実施形態では、平板部材９の外縁部に環状凸部９２が形成されているため、環状凸部９２の内側空間に切屑を収容することが可能となるため、切屑を水道管Ｗや分岐管２に流出させることを防止できる。
【００６６】
穿孔口Ｗａが形成された後も、回転駆動機構１３によりホールソー１１及びセンタードリル１２を下方向に前進させると、センタードリル１２の先端角部が係合部材８４ａのテーパー面８４ａ１に当接することにより、圧縮コイルスプリング８４ｂの付勢力に対抗して係合部材８４ａが径方向外側に移動する。そして、回転駆動機構１３によりホールソー１１及びセンタードリル１２を下方向に更に前進させると、圧縮コイルスプリング８４ｂの付勢力により係合部材８４ａが環状凹部１２ａ１に係合し、センタードリル１２が案内筒８の保持機構８４により保持される。この状態で、回転駆動機構１３によりホールソー１１及びセンタードリル１２を上方向に後退させると、第二分割部材４の収容凹部４１ａに形成された円環状溝４１ｄに載置された平板部材９と、この平板部材９に固定された案内筒８とが、センタードリル１２と共に上方向に移動する。その結果、弁箱６に収容された蓋体５よりも上側に、穿孔機１，平板部材９及び案内筒８を切断部分Ｗｂと共に移動させることができる。
【００６７】
（５）閉弁工程
図１３〜図１５に示すように、閉弁工程は、弁箱６に収容された蓋体５を第一分割部材３の筒部３１まで移動させて、筒部３１の開口を閉塞する。具体的には、まず、弁操作部材Ｖｋの端部が長溝５１ａの一端から他端まで回動することにより、蓋体５を弁箱６の内部でスライド移動させ、底壁５１のうち側壁５２が存在しない部分が筒部３１の開口部３１ａを通過する。このように、底壁５１のうち側壁５２が存在しない部分を設ければ、側壁５２が存在しない部分を筒部３１の開口部３１ａに通過させることが可能となるため、弁体としての蓋体５を弁操作部材Ｖｋによりスライド移動させることができる。次いで、弁箱固定部６１Ｂの押ボルト用貫通孔６３ｂに螺合された押ボルトＰにより、蓋体５の外縁部を押圧する。これにより、蓋体５の底壁５１の外縁部の内面に設けられた環状シール部材Ｓ３が筒部３１の開口部３１ａの上面に密着することにより、蓋体５が第一分割部材３の筒部３１を密封する。その結果、第一分割部材３および第二分割部材４の内部が密封され、穿孔機１を撤去することが可能となる。
【００６８】
本実施形態では、（５）閉弁工程と（６）蓋固定工程との間に穿孔機撤去工程を設けている。穿孔機撤去工程では、押ボルトＰにより蓋体５の外縁部を押圧して第一分割部材３および第二分割部材４の内部を密封した後、穿孔機１，平板部材９及び案内筒８を切断部分Ｗｂと共に撤去する（図１２参照）。つまり、蓋体５よりも上側に穿孔機１，平板部材９及び案内筒８を切断部分Ｗｂと共に移動させた後、穿孔ケース１４の穿孔フランジ１４ａと弁箱フランジ６２ａを固定していたボルト，ナットを取り外し、穿孔機１，平板部材９及び案内筒８を切断部分Ｗｂと共に撤去する。これにより、図１５に示すように、作業用機器としては、弁箱６とアタッチメント７が残存することとなる。なお、穿孔機撤去工程を、後述する（７）弁箱撤去工程にて実行しても良い。
【００６９】
（６）蓋固定工程
図１６に示すように、蓋固定工程は、当接ボルトＴの先端を第一分割部材３の筒部３１の環状凹部３１ａ１に食い込ませて、蓋体５を筒部３１に固定する（図１９も参照）。具体的には、操作用貫通孔６３ａの閉塞ボルト６３ａ１を取り外して不図示の操作工具を挿入し、この操作工具を弁箱６の外部から操作して、六角穴付きボルトで構成される当接ボルトＴを蓋体５の側壁５２に形成された螺子孔５２ａに螺合する（図１９も参照）。そして、当接ボルトＴの先端が環状凹部３１ａ１に食い込んで蓋体５が第一分割部材３の筒部３１に固定される。なお、当接ボルトＴを蓋体５の側壁５２に予め仮螺合しておいて操作工具により本螺合しても良いし、操作工具の先端に当接ボルトＴを取り付けた状態で操作用貫通孔６３ａに挿入し、当接ボルトＴを蓋体５の側壁５２に形成された螺子孔５２ａに螺合させても良い。このように、閉塞蓋として機能する蓋体５を筒部３１に固定する場合、外部から当接ボルトＴを操作して螺子孔５２ａに螺合するだけで良いため、作業効率が極めて高い。
【００７０】
（７）弁箱撤去工程
図１７に示すように、弁箱撤去工程は、第一分割部材３に固定されたアタッチメント７に固定された弁箱６を撤去し、アタッチメント７を含む分岐管形成装置１００を残存させる。具体的には、弁箱６をアタッチメント７に固定していた弁箱固定ボルト６５を取り外す（図１２も参照）。このとき、（２）分割部材連結工程により、第一分割部材３と第二分割部材４との隙間が密閉され、分岐管形成装置１００が水道管Ｗ及び分岐管２に対して密封状態となっており、（６）蓋固定工程において筒部３１に固定された蓋体５が第一分割部材３および第二分割部材４の内部を閉塞しているため、分岐管形成装置１００の外部に漏水することがない。
【００７１】
（８）側壁ピース装着工程
図１８〜図１９に示すように、側壁ピース装着工程は、蓋体５の底壁５１のうち側壁５２が存在しない外縁部に、側壁ピース５３を装着する。側壁ピース装着工程では、（７）弁箱撤去工程においてアタッチメント７を撤去せずに、側壁ピース５３を装着した後にアタッチメント７を撤去することが好ましい。これにより、側壁ピース５３をアタッチメント７の上面に沿わせて蓋体５に挿入することができる。
【００７２】
蓋体５の底壁５１のうち側壁５２が存在しない外縁部に側壁ピース５３を挿入した後、固定ボルトＫを底壁５１の貫通孔５１ｂから挿入して、第二螺子孔５３ｂに螺合することにより側壁ピース５３を蓋体５と一体化する。そして、第一螺子孔５３ａに当接ボルトＴを螺合することにより、当接ボルトＴの先端が環状凹部３１ａ１に食い込んで、側壁ピース５３が第一分割部材３の筒部３１に固定される。次いで、アタッチメント７を第一分割部材３の柱状部３１ｃに固定していた埋込ボルトＵを取り外し、分割構造のアタッチメント７を順に撤去する。このように、底壁５１のうち側壁５２が存在しない外縁部に装着される側壁ピース５３を設ければ、閉塞蓋としての蓋体５の固定姿勢が安定する。また、底壁５１の貫通孔５１ｂに固定ボルトＫを挿入して側壁ピース５３を固定すれば、閉塞蓋としての蓋体５を強固に固定できる。しかも、底壁５１に貫通孔５１ｂを設ければ、上方から固定ボルトＫを操作することが可能となり、作業効率を高めることができる。
【００７３】
［その他の実施形態］
（１）上述した実施形態において、案内筒８の周壁部８１の端部を、第二分割部材４の底部４１に形成された係合凹部４１ｂに係合させた。これに代えて、案内筒８の周壁部８１の端部に凹部を設け、第二分割部材４の底部４１に形成された凸部（係合凸部）を設け、これら凹部と凸部を係合させても良い。
（２）上述した実施形態では、蓋体５の底壁５１の外面に弁操作部材Ｖｋの端部が係合する長溝５１ａを設けて、弁操作部材Ｖｋにより蓋体５をスライド移動させたが、蓋体５の側壁５２に設けた係合溝にプッシャ部材の先端を係合させて、プッシャ部材により蓋体５をスライド移動させても良い。
【００７４】
（３）図２０に示すように、分岐管２の端部フランジ２Ａが第一分割部材３及び第二分割部材４の連結開口部３３，４３に挟持されている。本実施形態における分岐管２は、上述した実施形態における短管２１を省略して、仕切弁Ｖを有する連結管２２の端部に端部フランジ２Ａを有している。連結管２２の端部フランジ２Ａの反対側のフランジ２２ｂには、他の連結管（不図示）が連結される。
（４）図２１に示すように、分岐管２は管継手２８を有する屈曲管で構成されており、分岐管２の端部フランジ２Ａが第一分割部材３及び第二分割部材４の連結開口部３３，４３に挟持されている。本実施形態における分岐管２は、短管２１と仕切弁Ｖを有する連結管２２とが管継手２８により連結されている。連結管２２の管継手２８の反対側のフランジ２２ｂには、他の連結管が連結される。
（５）上述した実施形態における既設管は、水道管Ｗに限定されず、他の流体管であっても良い。
【産業上の利用可能性】
【００７５】
本発明は、不断流状態で既設管の外周面の一部を穿孔機により穿孔して形成された穿孔口と連通する分岐管を形成するために既設管に装着される分岐管形成装置及び分岐管形成方法に利用可能である。
【符号の説明】
【００７６】
１        ：穿孔機
２        ：分岐管
３        ：第一分割部材
４        ：第二分割部材
５        ：蓋体（弁体兼用蓋）
６        ：弁箱
７        ：アタッチメント
１１      ：ホールソー（カッター）
１２ａ１  ：環状凹部
３１      ：筒部（管路）
３１ａ１  ：環状凹部（端部外周面）
３１ｃ    ：柱状部
３１ｃ２  ：座面
５１      ：底壁
５１ａ    ：長溝（係合部）
５１ｂ    ：貫通孔
５２      ：側壁
５２ａ    ：螺子孔
５３      ：側壁ピース
１００    ：分岐管形成装置
Ｂ        ：締結部材
Ｋ        ：固定ボルト
Ｔ        ：当接ボルト
Ｖｋ      ：弁操作部材
Ｗ        ：水道管（既設管）
Ｗａ      ：穿孔口
【要約】
【課題】作業効率の高い弁体兼用蓋及び弁体兼用蓋を備えた分岐管形成装置を提供する。
【解決手段】管路３１の流路を遮断する弁体として機能すると共に、管路３１を閉塞する閉塞蓋としても機能する弁体兼用蓋５であって、底壁５１と、底壁５１の外縁部から立設する側壁５２と、を備え、底壁５１及び側壁５２の少なくとも一方には、弁操作部材と係合可能な係合部５１ａが形成されており、側壁５２には、管路３１の端部外周面に当接する当接ボルトＴが螺合される螺子孔５２ａが形成されている。
【選択図】図１【図１】
0006755573.tif 000002
【図２】
0006755573.tif 000003
【図３】
0006755573.tif 000004
【図４】
0006755573.tif 000005
【図５】
0006755573.tif 000006
【図６】
0006755573.tif 000007
【図７】
0006755573.tif 000008
【図８】
0006755573.tif 000009
【図９】
0006755573.tif 000010
【図１０】
0006755573.tif 000011
【図１１】
0006755573.tif 000012
【図１２】
0006755573.tif 000013
【図１３】
0006755573.tif 000014
【図１４】
0006755573.tif 000015
【図１５】
0006755573.tif 000016
【図１６】
0006755573.tif 000017
【図１７】
0006755573.tif 000018
【図１８】
0006755573.tif 000019
【図１９】
0006755573.tif 000020
【図２０】
0006755573.tif 000021
【図２１】
0006755573.tif 000022